(57)【要約】【課題】揮散性薬剤を長期保存しても、その揮散量が減少するようなことがなく有効に活用して経済的であり、また使用後にあって分別せず廃棄できるユーザフレンドリー性及びエコロジー性を備えた揮散性薬剤用支持体を提供する。【解決手段】揮散性薬剤の担持体を支持あるいは収納可能な支持体であって、前記支持体は紙繊維と水溶性高分子結合剤とを水で混練した主原料を成形し加熱乾燥して得たものである揮発性薬剤用支持体である。【選択図】なし【特許請求の範囲】
【請求項１】
揮散性薬剤の担持体を支持あるいは収納可能な支持体であって、
前記支持体は紙繊維と水溶性高分子結合剤とを水で混練した主原料を成形し加熱乾燥して得たものである、ことを特徴とする揮発性薬剤用支持体。
【請求項２】
前記主原料は、前記紙繊維５０〜９０部と、前記水溶性高分子結合剤１０〜５０部とを合わせて１００部とした混合物に、水５０〜２００部を添加して混練してなる混練物である、ことを特徴とする請求項１に記載の揮発性薬剤用支持体。
【請求項３】
非アルカリ金属の長鎖脂肪酸塩を更に添加してある、ことを特徴とする請求項２に記載の揮発性薬剤用支持体。
【請求項４】
前記非アルカリ金属の長鎖脂肪酸塩は、前記紙繊維と前記水溶性高分子結合剤および水との混練物１００部に対して、０．２〜２．０部を添加してある、ことを特徴とする請求項３に記載の揮発性薬剤用支持体。
【請求項５】
前記水溶性高分子結合剤は、澱粉、ポリビニルアルコール、カルボキシメチルセルロースの何れか、又はこれらの組合せからなる、ことを特徴とする請求項１から４のいずれに記載の揮発性薬剤用支持体。
【請求項６】
前記水溶性高分子結合剤は、澱粉を主成分として形成してある、ことを特徴とする請求項５に記載の揮発性薬剤用支持体。
【請求項７】
前記水溶性高分子結合剤は、澱粉とポリビニルアルコールとを混合して形成してある、ことを特徴とする請求項６に記載の揮発性薬剤用支持体。
【請求項８】
前記水溶性高分子結合剤は、澱粉９０〜５０重量％とポリビニルアルコール１０〜５０重量％とを混合してある、ことを特徴とする請求項７に記載の揮発性薬剤用支持体。
【請求項９】
前記揮発性薬剤は、常温で揮散性のピレスロイド系薬剤である、ことを特徴とする請求項１〜８のいずれかに記載の揮発性薬剤用支持体。
【請求項１０】
前記揮散性薬剤を担持する担持体が支持体と一体に成形してある、ことを特徴とする請求項１〜７のいずれかに記載の揮発性薬剤用支持体。
【請求項１１】
請求項１〜９のいずれかに記載の揮発性薬剤用の支持体は、前記揮散性薬剤の担持体を収納する空間を備えた容器を含む、ことを特徴とする揮発性薬剤用支持体。
【発明の詳細な説明】
【技術分野】
【０００１】
本発明は、殺虫剤、消臭剤、芳香剤などの揮散性薬剤を保持した薬剤担持体を支持する揮発性薬剤用の支持体に関する。より詳細には、容器などの構造体も含んで揮散性薬剤を保持あるいは収納する支持体に関する。
【背景技術】
【０００２】
揮散性薬剤を揮散させる商品には、従来から種々が提供されている。例えば、ピレスロイド系薬剤などの常温揮散性の防虫剤を濾紙に含浸させ、これをポリプロピレンなどからなる容器に収納したものが、タンスやクローゼット用の防虫用品として広く提供されている。また、玄関やトイレ、車などの消臭マスキングに使用される揮散性の芳香剤を含浸体に担持させたものを、通気性を持たせたポリエチレンやポリプロピレンなどからなる容器に収納したものが空間の消臭・芳香用品として広く提供されている。
上記のような揮散性薬剤を揮散（放出）する防虫用、芳香用など種々の製品（以下、防虫・芳香用製品として説明する）は、揮散性薬剤を担持する上記のような濾紙などの薬剤担持体と、この薬剤担持体を収納、保持しつつ揮散性薬剤を揮散させるための開口を備える容器(揮発性薬剤用の支持体)とから構成されているのが一般的である。
【０００３】
ところが、上記のような容器をポリエチレンやポリプロピレンで成形すると、長期間密封包装されている間に有効成分である揮散性薬剤が容器側に吸着して、揮散されないという問題が確認された。これでは、本来、揮散すべきはずの薬剤量に比べ、実際の揮散量が減量し十分な効果を発揮できなくなる。そこで、ポリエステルやポリカーボネートなどの薬剤吸着性が低い樹脂で成形した容器とすることについての提案がなされた（例えば、特許文献１、特許文献２、参照）。
【０００４】
上記提案によると、揮散性薬剤が容器に吸着されるといった問題は解決される。ところが、密封包装内で揮散した薬剤が包装内に溜まって飽和状態となる場合がある。そのため、包装袋の内側に薬剤が液滴状に付着し、本来、揮散すべきはずの薬剤量が損なわれ、さらに消費者が開封した際に薬剤が手指や衣服に付いてしまうという不都合が生じる。また、揮散性薬剤は一般に高価で、期待された十分な薬効が得られないだけでなく、容器内に保持した薬剤量が損なわれることは経済的側面からも好ましくない。
【０００５】
上記揮散性薬剤の液滴に関しては、特許文献３により、その対策技術が提案されている。特許文献３は、薬剤吸着性材料を薬剤非吸着性材料の表面に配することで揮散した薬剤が包装袋内で結露しない程度に吸着する容器が開示されている。これにより、長時間流通、保存した後に使用されても揮散性薬剤が衣服等に付着する前述の問題を解決して、薬剤の効力を長期間に亘り持続できるとある。
【先行技術文献】
【特許文献】
【０００６】
【特許文献１】特開平２−２７５８０５号号公報
【特許文献２】特開平１１−１８７７９７号公報
【特許文献３】特許第４１６０８４４号公報
【発明の概要】
【発明が解決しようとする課題】
【０００７】
しかしながら、特許文献３は発生する液滴を薬剤吸着性の材料に吸着させて対処することだけに着眼があって、薬剤吸着性の材料としてはポリエチレンやポリプロピレンなどを用いている。このポリエチレン等は、本明細書の初めにおいて指摘したように、一旦、吸着した薬剤を放出し難いので容器内に保持した薬剤が有効に活用されず経済的側面から好ましくない。また、特許文献３による容器はその表面に異なる性質の材料を張り合わせるなどによって成形されるので容器の構造が複雑で、その製造工程が煩雑となる。
以上説明したように、従来においては、防虫・芳香用製品に用いる容器に関して、充填された揮散性薬剤が有効に活用されておらず不経済である。そして、揮散性薬剤はパルプよりなる濾紙など自然由来の素材を薬剤担持体としている場合が多いが、容器はプラスチック製などであることから、製品使用後にユーザが分別廃棄しなければならない等の廃棄処理上の問題もある。
【０００８】
よって、本発明の目的は、揮散性薬剤を長期保存しても、その揮散量が減少するようなことがなく薬剤を有効活用して経済的であり、そして、製品使用後にあって分別することなく廃棄できるユーザフレンドリー性及びエコロジー性を備え、更には成形性にも優れた材料を用いた成形物である揮散性薬剤用の支持体を提供することである。
【課題を解決するための手段】
【０００９】
上記の目的は、薬剤の担持体を支持あるいは収納可能な支持体であって、前記支持体は紙繊維と水溶性高分子結合剤とを水で混練した主原料を成形し加熱乾燥して得たものである、ことを特徴とする揮発性薬剤用支持体により達成される（請求項１）。
【００１０】
そして、前記主原料は、前記紙繊維５０〜９０部と、前記水溶性高分子結合剤１０〜５０部とを合わせて１００部とした混合物に、水５０〜２００部を添加して混練してなる混練物とするのが好ましい（請求項２）。
【００１１】
また、非アルカリ金属の長鎖脂肪酸塩を更に添加してあるものがより好ましく（請求項３）、前記非アルカリ金属の長鎖脂肪酸塩は、前記紙繊維と前記水溶性高分子結合剤および水との混練物１００部に対して、０．２〜２．０部を添加してあるのが望ましい（請求項４）。
【００１２】
また、前記水溶性高分子結合剤は、澱粉、ポリビニルアルコール（ＰＶＡ）、カルボキシメチルセルロース（ＣＭＣ）の何れか、又はこれらの組合せとすることができる（請求項５）。
さらに前記水溶性高分子結合剤は、澱粉を主成分として形成してあるのが好ましく（請求項６）、前記水溶性高分子結合剤は、澱粉とポリビニルアルコールとを混合して形成してあることがさらに好ましく（請求項７）、前記水溶性高分子結合剤は、澱粉９０〜５０重量％とポリビニルアルコール１０〜５０重量％とを混合されていることが好ましい（請求項８）。
【００１３】
そして、前記揮発性薬剤は、常温で揮散性のピレスロイド系薬剤とすることができる（請求項９）。
【００１４】
また、前記揮散性薬剤を担持する担持体が支持体と一体に成形してある構造としてもよい（請求項１０）。
そして、上記いずれかに記載の揮発性薬剤用の支持体は、前記揮散性薬剤の担持体を収納する空間を備えた容器を含むものであり（請求項１１）、本発明に係る支持体は色々な形状に成形してよい。
【発明の効果】
【００１５】
本発明によると、常温で揮散する揮散性薬剤に対して、一旦吸着しても、その後に再度揮散させるので、その薬剤を有効に活用できる揮散性薬剤用の支持体を提供できる。
そして、本発明の揮散性薬剤用支持体は紙繊維と水溶性高分子結合剤とを水で混練した主原料からなるので、プラスチックを含んで構成された従来製品とは異なり、廃棄の際に分別する必要がなくユーザフレンドリー性及びエコロジー性を備えた製品として提供できる。
【発明を実施するための形態】
【００１６】
以下、本発明に係る揮発性薬剤用の支持体の好適な実施形態について説明する。
本発明の揮発性薬剤用の支持体は、揮散性薬剤を担持する濾紙などの薬剤担持体を支持或いは収納する構造体で、揮散性薬剤が吸着可能であると共に、吸着した前記揮散性薬剤を後において揮散（放出）可能な再揮散性を有していれば、その形状には限定されない。すなわち、本発明に係る揮発性薬剤用の支持体は、例えば、板状形状、へこみのある凹部形状、内部に薬剤担持体を保持・収納する空間が設けてある、いわゆる容器などでもよい。
さらには、本発明に係る揮発性薬剤用の支持体は、揮散性薬剤の担持体と直接に接して保持する形態、或いは、間接的に収納する形態のいずれでもよいものである。
【００１７】
以下、本発明に係る揮発性薬剤用の支持体を具体的に説明する。
本発明の揮発性薬剤用の支持体は、前述したように揮散性薬剤を担持する濾紙などの薬剤担持体を支持或いは収納する構造体であって、揮散性薬剤を吸着した場合に再揮散性を有していれば、その形状は特に限定されない。
この揮散性薬剤用支持体は、紙繊維と水溶性高分子結合剤とを水で混練した主原料を加熱乾燥して得られるものである。加熱乾燥する際に、型を用いて成形することで板状、凹部状など所望形状に成形される。そして、上記のような主原料を加熱乾燥して、固体化しているので、揮散性薬剤が吸着可能であると共に、吸着した揮散性薬剤を後に於いてさらに揮散可能とする再揮散性を示す。
【００１８】
上記紙繊維としては、木材、木綿、亜麻、麻、藁等より得られる製紙用パルプ、あるいは新聞、雑誌、段ボール等の紙類、板紙、裁断屑紙、製紙工程で発生する損紙のような故紙の状態のものを使用できる。特に、これらを微粉砕したものは成形材料として配合した場合でも分散し易く、成形体の表面が平滑性に優れたものとなり、特に、好ましい。
【００１９】
上記紙繊維を結合させるバインダとし水溶性高分子結合剤が採用される。この水溶性高分子結合剤は、澱粉、ポリビニルアルコール（ＰＶＡ）およびカルボキシルメチルセルロース（ＣＭＣ）から選択するのが好ましく、これらを単独、或いは適宜に組合せて用いることができる。例えば、澱粉を結合剤の主成分として、ＰＶＡを副成分として混合型の高分子結合剤としてもよい。
澱粉は紙繊維と極めて類似性を有する分子構造になっているので、紙繊維を強固に接着結合することが出来る。作製する揮発性薬剤用の支持体の肉厚が薄い場合は、反りが発生し易くなるが、澱粉を用いることで構造体としての強度、剛性を向上させて反りを抑制できる。
【００２０】
澱粉としては、例えば、馬鈴薯澱粉、甘藷澱粉、タピオカ澱粉、小麦澱粉、トウモロコシ澱粉、米澱粉、ワキシトウモロコシ澱粉、サゴ澱粉等の生澱粉、およびそれらをエステル化、エーテル化等の誘導体化したもの、或いはそれらをアルファー化、酸化、陽性化した加工澱粉等が例示できる。また、これらを単独、若しくはそれらを複数混合したものを好適に使用できるが、ここで例示した澱粉に限定されない。
【００２１】
水溶性高分子結合剤として澱粉を採用した場合については、ＰＶＡを混合して混合型の高分子結合剤とするのが好ましい。ＰＶＡの分子構造は、紙繊維及び澱粉とは異なるものであるが、分子内に澱粉と同程度の親水基を有するので、澱粉と相溶して紙繊維を結合させる機能を発揮する。更に、ＰＶＡは長鎖状高分子であるため靭性が高く、澱粉と混合して使用すると成形した揮発性薬剤用の支持体の靭性を向上することが出来る。澱粉９０〜５０重量％とＰＶＡ１０〜５０重量％とを混合したものが好ましい。このような澱粉とＰＶＡとの混合型結合剤（バインダ）は優れた靱性を示す。よって、このような混合型結合剤を用いると靱性を備えて、ひび割れなどを抑制できる揮発性薬剤用の支持体を得ることができる。
【００２２】
ポリビニルアルコールは、水または熱水可溶なポリビニルアルコールであれば重合度、鹸化度は特に限定されず、またそれらをカチオン変性やアニオン変性した変性ポリビニルアルコール等が使用できる。また、これらを単独で若しくはそれらを複数混合したものを使用でき、ここで例示したポリビニルアルコールに限定するものではない。
【００２３】
また、揮発性薬剤用の支持体の加工性を向上させるという観点から、非アルカリ金属の長鎖脂肪酸塩を添加するのが望ましい。このような非アルカリ金属の長鎖脂肪酸塩としては、例えばステアリン酸カルシウム、ステアリン酸マグネシウム、ステアリン酸亜鉛、ステアリン酸アルミニウム、ステアリン酸ストロンチウム、ラウリン酸亜鉛、ラウリン酸アルミニウム、ラウリン酸ストロンチウム等を例示できる。これらの単独若しくはそれらの複数混合したものは、紙繊維および水溶性高分子結合剤と均等に混合され易く、粉体状態で優れた滑性を示し、界面での活性効果による潤滑作用および離型作用により加工性を向上させることが出来る。また、上記非アルカリ金属の長鎖脂肪酸塩を添加することにより、この長鎖脂肪酸の金属塩が離型剤として作用するので、材料を混練する工程にて材料が混練機の壁面等に粘着するのを抑制し、製造効率も向上させることが出来る。
【００２４】
揮発性薬剤用の支持体は、上記紙繊維と水溶性高分子結合剤とを水で混練した主原料を用いるが、この主原料は前記紙繊維５０〜９０部と、前記水溶性高分子結合剤１０〜５０部とを合わせて１００部とした混合物に、水５０〜２００部を添加して混練してなる混練物を用いるのが望ましい。
紙繊維が５０部以下で水溶性高分子結合剤が５０部以上になると紙繊維の補強効果が小さくなり機械的強度の高い成形体が得られなくなるので好ましくない。一方、紙繊維が９０部以上で水溶性高分子結合剤が１０部より少なくなると、水溶性高分子結合剤が紙繊維を十分に結合し難くなるので、揮散性薬剤用支持体の表面が粗くなり、同時に機械的強度が低下するので好ましくない。
【００２５】
また、上記紙繊維と水溶性高分子結合剤との混合物１００部に水５０部〜２００部としているのは、水の添加量が５０部以下では水溶性高分子結合剤による結合作用が十分に発揮されず紙繊維同士をペレット状またはフレーク状の混練物にすることが難しい。これとは逆に、水を２００部以上とした場合には混練物の粘度が著しく低下して揮発性薬剤用の支持体の成形に用いるには好ましくないものになる。
【００２６】
更に、紙繊維と水溶性高分子結合剤、そして水との混練物１００部に対して、前述した非アルカリ金属の長鎖脂肪酸塩は０．２〜２．０部を添加するのが好ましい。非アルカリ金属の長鎖脂肪酸塩添加量が０．２部以下ではその効果が少なく、材料の混練工程で混練機の壁面に粘着しやすくなり作業性と収率が低下する。一方、非アルカリ金属の長鎖脂肪酸塩添加量が２．０部以上の場合には混練工程で混練機壁面との摩擦抵抗が減少するため、短時間で均質に混練することが難しくなり好ましくない。
【００２７】
本発明の揮散性薬剤用の支持体の成形に用いられる紙繊維と水溶性高分子結合剤とを水で混練した混練物は、例えば押し出し成形機、射出成形機、プレス成形機など市販の成形機を用いて成形することができる。
以下、押し出し成形の場合について説明する。市販の押し出し成形機、例えば成形機内に混練物を投入するためのホッパーと、投入された混練物を加熱しながら撹拌して可塑化され成形機先端側に押し出すスクリューと、成形機の先端に設けられるダイスと呼ばれる金型とを具備したものが用いられる。上記混合物は、上記ホッパーに投入され、加熱された金型より押し出され、さらに乾燥されることで固化される。
射出成形の場合は可塑化された混練物は加熱された金型内に射出され、加熱乾燥されることで固化され、所望の形状に成形される。
【００２８】
本発明で用いる揮散性薬剤は、常温で揮散する薬剤であれば種々のものが使用できる。高揮散性薬剤としては、２５℃での蒸気圧が１Ｐａ以上の薬剤を挙げることができ、例えばトルエン（３．８ｋＰａ）、エチルアルコール（５．９ｋＰａ）、イソプロピルアルコール（４．４ｋＰａ）などの有機溶剤、グレープフルーツ油、ローズ油、芳油等の天然香料、リモネン（０．１８ｋＰａ）、メントール、シトロネール、ジャスミン、ペンタライド等の合成香料及びそれらを調整した調合香料が用いられる。
低揮散性薬剤としては、２５℃での蒸気圧が１Ｐａ未満の薬剤を挙げることができ、例えばメトフルトリン（１．９６ｍＰａ）、プロフルトリン（１０．０ｍＰａ）、フタルスリン、レスメトリン、ペルメトリン、シペルメトリン、フェノトリン、シフェノトリン、エンペントリン、プラレトリン、アレスリン、テラレスリン、ミプロスリン、イミプロスリン、トランスフルスリン、フェンフルスリン、フェンプロパトリン、2,3,5,6−テトラフルオロ−4−メチルベンジル（１Ｒ）−トランス−3−（2−クロロ−2−フルオロビニル）−2,2−ジメチルシクロプロパンカルボキシラート等のピレストロイド系防虫薬剤が好適に使用される。
【００２９】
以下において、揮発性薬剤用の支持体を製造して、揮散性薬剤に適用した実施例を説明する。
常温で、低揮発性有機溶剤として防虫剤に用いるピレスロイド系薬剤のプロフルトリン、そして高揮発性有機溶剤としてトルエンを準備し、それぞれを薬剤担持体となる濾紙に吸着させて、試料の吸着率ならびに一定時間経過後の試料中の薬剤残存率を比較した。
【００３０】
（実施例１）
紙繊維６０部と、水溶性高分子結合剤としてトウモロコシ澱粉３０部およびＰＶＡを１０部、非アルカリ金属の長鎖脂肪酸塩を０．５部に、水６０部を添加した混練物を準備した。この混練物を射出成形して、実施例の揮発性薬剤用の支持体となる平板（厚さ１ｍｍ）を得た。この平板を１００ｍｍ×１００ｍｍ角のサンプルに作製した。また、市販の防虫用製品（株式会社  白元製の防虫用製品、ミセスロイド（登録商標）中の薬剤／プロフルトリン）から取り出した揮散性薬剤の担持体となる濾紙（以下、薬剤含浸濾紙）を準備した。実施例の揮発性薬剤用の支持体と、この薬剤含浸濾紙とが直接に接しないように１００メッシュの金属網を間に挟みＰＥＴ/ＰＥフィルム（東レ株式会社製、トレファン（登録商標））で密封包装した。この包装体を４０℃の恒温層中に１ヶ月間静置し、上記薬剤含浸濾紙から揮散した薬剤がサンプルに吸着するような長期保存の環境を設定した。
【００３１】
（比較例１）
市販のポリプロピレン製の平板（厚さ０．７ｍｍ）から採取した１００ｍｍ×１００ｍｍ角の比較用のサンプルを作製した。他は、上記実施例１と同様とした。
【００３２】
（実施例２）
実施例１で作製した平板を３０ｍｍ×５０ｍｍ角のサンプルに作製した。このサンプルを揮散性薬剤として準備した、高揮発性有機化合物であるトルエン中に１０分間浸漬して吸着させた。
【００３３】
（比較例２）
市販のポリプロピレン製の平板（厚さ０．７ｍｍ）から採取した３０ｍｍ×５０ｍｍ角のサンプルを比較用サンプルとして作製した。他は、上記実施例２と同様とした。
（比較例３）
市販のポリプロピレン製の平板（厚さ０．７ｍｍ）から採取した３０ｍｍ×５０ｍｍ角のサンプルを比較用サンプルとして作製した。トルエン中に２４時間浸漬した以外の条件は上記実施例２と同様とした。
【００３４】
実施例１、２ならびに比較例１〜３に記載した、揮散性薬剤を吸着させたサンプルを２３℃、５０％の恒室条件下に放置し、重量変化から薬剤の再揮散を測定した。その結果を下記で示している。
なお、サンプルは空気中の水分の吸放湿による重量変化分が想定されるので、揮散性薬剤を吸着させないブランクサンプルを準備して、その重量変化を用いて試験サンプルの重量を補正した。
結果を表１ならびに表２に示す。
【００３５】
【表１】
2013132231.tif 000002
【００３６】
上記表１に示す試験結果から低揮発性薬剤であるプロフルトリンに対し、比較例１のポリプロピレンは高い吸着量と薬品残存率（９０％以上）を示しているのに対し、実施例１の揮発性薬剤用支持体によると初期吸着は起こるものの一定時間経過後では薬品残存率は６．７％であり、初期に吸着した薬剤の９３％以上が再揮散しており、薬剤が有効活用されていることが確認される。
【００３７】
【表２】
2013132231.tif 000003
【００３８】
表２に示す試験結果から高揮発性有機溶剤であるトルエンに対し比較例２および３のポリプロピレンは高い薬品残存率を示しているのに対し、実施例２の揮発性薬剤用の支持体によると初期吸着が起こるものの３．５時間経過後の薬品残存率は２．５％であり、初期に吸着した薬剤の９７％以上が再揮散しており、薬剤が有効活用されていることが確認される。
【００３９】
以上のように、本願発明に係る揮発性薬剤用の支持体は、常温で、低揮散性および高揮発性のいずれの揮散性薬剤に対しても、一旦吸着した揮散性薬剤を、その後に再度揮散させるので薬剤を有効に活用できる。これにより、本発明の揮発性薬剤用の支持体は揮散性薬剤と共に密閉包装内で長期保存されて薬剤が揮散する状況のとき、これが一旦吸着されるため包装フィルムに薬剤の液滴が付着する状況を抑制できる。そして、その後に包装が開封された使用時には薬剤が再び揮散するので、薬剤の有効活用と期待した薬剤効果を得ることが可能となる。
更には、本発明の揮発性薬剤用の支持体は紙繊維と水溶性高分子結合剤とを水で混練した主原料からなるので、従来のプラスチックを含んで構成された製品とは異なり、廃棄の際に分別する必要がなくユーザフレンドリー性及びエコロジー性を備えた製品として提供できる。
【００４０】
以上で実施形態の説明を終えるが、本発明は上記実施形態に限定されるものではなく、その要旨を逸脱しない範囲で種々変更して実施することができることは言うまでもない。
前述した実施例では、揮発性薬剤用の支持体を簡易な板状とした場合を一例に説明したが、本発明の揮発性薬剤用の支持体は、その形態を特に限定する必要はない。すなわち、平板形状、椀形状、収納空間を備えるいわゆる容器形状など、市場に応じた商品設計などの要求に応じて、種々の形状に成形すればよい。なお、本発明の揮発性薬剤用の支持体を内部に収納空間を備える容器とする場合も、前述した実施例に準じて、容器用のキャビティが成形してある金型内に混練物を射出して成形すればよい。
【００４１】
また、本発明による揮発性薬剤用の支持体では、薬剤担持体とするシート（濾紙など）を金型内の所定位置に予め配置して、インサート成形することなどが可能である。よって、従来の薬剤収納容器では難しかった薬剤担持体と薬剤収納容器とを一体化した構造を製造できる。そして、製造した一体化容器の薬剤担持体に、後から揮散性薬剤を含浸させて防虫・芳香用製品にすればよい。